【手続補正書】
【提出日】平成17年3月24日(2005.3.24)
【手続補正１】
【補正対象書類名】明細書
【補正対象項目名】全文
【補正方法】変更
【補正の内容】
【書類名】      明細書
【発明の名称】  画像表示装置
【特許請求の範囲】
【請求項１】  地球表面を写した写真データが記憶された第１の写真データ記憶手段
から読み出した写真データに基づいて、所定の縮尺の写真画面を作成する第１の写真画面
作成手段と、
該第１の写真画面作成手段により作成される、前記所定の縮尺の写真画面を表示する第
１の写真画面表示手段と、
前記写真データに基づいて、前記所定の縮尺と異なる別の縮尺の写真画面を作成する第
２の写真画面作成手段と、
ユーザーによる縮尺の切り換えの指示があると、前記第２の写真画面作成手段により作
成される、前記別の縮尺の写真画面へ表示の切り換えを行う第１の表示切換手段とを備え
ると共に、
これら第１及び第２の写真画面作成手段が、拡大処理を施さずにこれら写真画面を作成
するものであることを特徴とする画像表示装置。
【請求項２】  同一エリアに対してスケールの異なる２タイプ以上の写真データが記
憶された第２の写真データ記憶手段から読み出した、所定のスケールの写真データに基づ
いて、所定の縮尺の写真画面を作成する第３の写真画面作成手段と、
該第３の写真画面作成手段により作成される、前記所定の縮尺の写真画面を表示する第
２の写真画面表示手段と、
前記第２の写真データ記憶手段から読み出した、前記所定のスケールと異なる別のスケ
ールの写真データに基づいて、前記所定の縮尺と異なる別の縮尺の写真画面を作成する第
４の写真画面作成手段と、
ユーザーによる縮尺の切り換えの指示があると、前記第４の写真画面作成手段により作
成される、前記別の縮尺の写真画面へ表示の切り換えを行う第２の表示切換手段とを備え
ていることを特徴とする画像表示装置。
【請求項３】  地図データが記憶された地図データ記憶手段から読み出した地図デー
タに基づいて、地図画面を作成する第１の地図画面作成手段と、
該第１の地図画面作成手段により作成される地図画面を表示する第１の地図画面表示手
段と、
地球表面を写した写真データがエリアを限定して記憶された第３の写真データ記憶手段
から、自己の現在位置情報に基づいて読み出した、前記自己の現在位置周辺に関する写真
データに基づいて、前記自己の現在位置周辺を示した写真画面を作成する第５の写真画面
作成手段と、
前記自己の現在位置情報に基づいて、前記自己が前記エリア内に存在するか否かを判断
する第１の自己位置判断手段と、
該第１の自己位置判断手段により前記自己が前記エリア内に存在すると判断されると、
前記第５の写真画面作成手段により作成される、前記自己の現在位置周辺を示した写真画
面を表示する第３の写真画面表示手段とを備えていることを特徴とする画像表示装置。
【請求項４】  地図データが記憶された地図データ記憶手段から読み出した地図デー
タに基づいて、地図画面を作成する第１の地図画面作成手段と、
該第１の地図画面作成手段により作成される地図画面を表示する第１の地図画面表示手
段と、
地球表面を写した写真データがエリアを限定して記憶された第３の写真データ記憶手段
から、自己の現在位置情報に基づいて読み出した、前記自己の現在位置周辺に関する写真
データに基づいて、前記自己の現在位置周辺を示した写真画面を作成する第５の写真画面
作成手段と、
前記自己の現在位置情報に基づいて、前記自己が前記エリア内に存在するか否かを判断
する第１の自己位置判断手段と、
該第１の自己位置判断手段により前記自己が前記エリア内に存在すると判断されている
ときに、ユーザーによる前記写真画面の表示の指示があると、前記第５の写真画面作成手
段により作成される、前記自己の現在位置周辺を示した写真画面を表示する第４の写真画
面表示手段とを備えていることを特徴とする画像表示装置。
【請求項５】  地図データが記憶された地図データ記憶手段から読み出した地図デー
タに基づいて、地図画面を作成する第１の地図画面作成手段と、
該第１の地図画面作成手段により作成される地図画面を表示する第１の地図画面表示手
段と、
地球表面を写した写真データがエリアを限定して記憶された第３の写真データ記憶手段
から、自己の現在位置情報に基づいて読み出した、前記自己の現在位置周辺に関する写真
データに基づいて、前記自己の現在位置周辺を示した写真画面を作成する第５の写真画面
作成手段と、
前記自己の現在位置情報に基づいて、前記自己が前記エリア内に存在するか否かを判断
する第１の自己位置判断手段と、
該第１の自己位置判断手段により前記自己が前記エリア内に存在すると判断されると、
前記写真画面の表示を指示するための指示スイッチを形成する第１のスイッチ形成手段と
、
ユーザーにより前記指示スイッチがＯＮされると、前記第５の写真画面作成手段により
作成される、前記自己の現在位置周辺を示した写真画面を表示する第５の写真画面表示手
段とを備えていることを特徴とする画像表示装置。
【請求項６】  地球表面を写した写真データが記憶された第１の写真データ記憶手段
から、誘導経路情報に基づいて読み出した、前記誘導経路上、又は該誘導経路周辺に存在
する所定のスポットに関する写真データに基づいて、前記所定のスポットを示した写真画
面を作成する第６の写真画面作成手段と、
該第６の写真画面作成手段により作成される、前記所定のスポットを示した写真画面を
表示する第６の写真画面表示手段とを備えていることを特徴とする画像表示装置。
【請求項７】  地球表面を写した写真データが記憶された第１の写真データ記憶手段
から読み出した写真データに基づいて、写真画面を作成する第７の写真画面作成手段と、
該第７の写真画面作成手段により作成される写真画面を表示する第７の写真画面表示手
段と、
所定のスポットに関する詳細データが記憶された詳細データ記憶手段から読み出した、
前記写真画面が写し出すエリア内に存在するスポットに関する詳細データに基づいて、前
記スポットに関する詳細情報をユーザーへ提供する詳細情報提供手段とを備えていること
を特徴とする画像表示装置。
【請求項８】  地球表面を写した写真データが記憶された第１の写真データ記憶手段
から、目的地の位置情報に基づいて読み出した、前記目的地周辺に関する写真データに基
づいて、前記目的地周辺を示した写真画面を作成する第８の写真画面作成手段と、
該第８の写真画面作成手段により作成された、前記目的地周辺を示した写真画面を表示
する第８の写真画面表示手段とを備えていることを特徴とする画像表示装置。
【請求項９】  前記第８の写真画面表示手段が、ユーザーにより前記目的地が設定さ
れると、前記目的地周辺を示した写真画面を表示するものであることを特徴とする請求項
８記載の画像表示装置。
【請求項１０】  自己の現在位置情報、及び前記目的地の位置情報に基づいて、前記
自己が前記目的地付近まで到達したか否かを判断する第２の自己位置判断手段を備え、
該第２の自己位置判断手段により前記自己が前記目的地付近まで到達したと判断される
と、
前記第８の写真画面表示手段が、前記目的地周辺を示した写真画面を表示するものであ
ることを特徴とする請求項８記載の画像表示装置。
【請求項１１】  地図データが記憶された地図データ記憶手段から読み出した地図デ
ータに基づいて、地図画面を作成する第１の地図画面作成手段と、
該第１の地図画面作成手段により作成される地図画面を表示する第１の地図画面表示手
段と、
地球表面を写した写真データが記憶された第１の写真データ記憶手段から読み出した写
真データに基づいて、写真画面を作成する第７の写真画面作成手段と、
前記地図画面から前記写真画面への表示の切り換え、及び／又は前記写真画面から前記
地図画面への表示の切り換えを、前記地図画面が示すエリアと前記写真画面が写し出すエ
リアとを一致させて行う第３の表示切換手段とを備えていることを特徴とする画像表示装
置。
【請求項１２】  地球表面を写した写真データが記憶された第１の写真データ記憶手
段から、前記自己の現在位置情報に基づいて読み出した、前記自己の現在位置周辺に関す
る写真データに基づいて、前記自己の現在位置周辺を示した写真画面を作成する第９の写
真画面作成手段と、
該第９の写真画面作成手段により作成される、前記自己の現在位置周辺を示した写真画
面を表示する第９の写真画面表示手段と、
前記自己の現在位置情報に基づいて、前記写真画面上に前記自己の現在位置を示す第１
の現在位置表示手段と、
地図データが記憶された地図データ記憶手段から読み出した地図データに基づいて、地
図画面を作成する第２の地図画面作成手段と、
前記自己の現在位置情報に基づいて、前記写真画面の表示エリアを小さくし、他方、前
記地図画面の表示エリアを大きくしていき、前記自己の移動に合わせて、前記写真画面か
ら前記地図画面への表示の切り換えを段階的に行う第４の表示切換手段とを備えているこ
とを特徴とする画像表示装置。
【請求項１３】  同一エリアに対して異なる２以上の状態で写した写真データが記憶
された第４の写真データ記憶手段から、所定の条件に基づいて読み出した写真データに基
づいて、写真画面を作成する第１０の写真画面作成手段と、
該第１０の写真画面作成手段により作成される写真画面を表示する第１０の写真画面表
示手段とを備えていることを特徴とする画像表示装置。
【請求項１４】  地図データが記憶された地図データ記憶手段から読み出した地図デ
ータに基づいて、地図画面を作成する第１の地図画面作成手段と、
該第１の地図画面作成手段により作成される地図画面を表示する第１の地図画面表示手
段と、
地球表面を写した写真データが記憶された第１の写真データ記憶手段から読み出した写
真データに基づいて、写真画面を作成する第７の写真画面作成手段と、
前記第１の地図画面作成手段により作成される地図画面、及び前記第７の写真画面作成
手段により作成される写真画面を同一表示画面上に表示するマルチ画面表示手段とを備え
ていることを特徴とする画像表示装置。
【請求項１５】  地球表面を写した写真データが記憶された第１の写真データ記憶手
段から読み出した写真データに基づいて、写真画面を作成する第７の写真画面作成手段と
、
該第７の写真画面作成手段により作成される、写真画面を表示する第７写真画面表示手
段とを備え、
前記第７の写真画面作成手段が、所定の条件に基づいて、所定の画像処理を施した写真
画面を作成するものであることを特徴とする画像表示装置。
【請求項１６】 地球表面を写した写真データが記憶された第１の写真データ記憶手
段から読み出した、所定のスポットに関する写真データに基づいて、前記所定のスポット
を示した写真画面を作成する第１１の写真画面作成手段と、
該第１１の写真画面作成手段により作成される前記所定のスポットを示した写真画面を
、前記スポットの位置に対応付けて表示する第１１の写真画面表示手段とを備えているこ
とを特徴とする画像表示装置。
【請求項１７】 前記第１１の写真画面表示手段が、前記所定のスポットを示した写
真画面を地図画面上の前記スポットの位置に重ねて表示するものであることを特徴とする
請求項１６記載の画像表示装置。
【請求項１８】 地球表面を写した写真データが記憶された第１の写真データ記憶手
段から、所定の位置情報に基づいて読み出した、前記所定の位置周辺に関する写真データ
に基づいて、前記所定の位置周辺を示した写真画面を作成する第１２の写真画面作成手段
と、
該第１２の写真画面作成手段により作成される、前記所定の位置周辺を示した写真画面
を表示する第１２の写真画面表示手段と、
前記写真画面上に前記所定の位置を示す位置表示手段とを備えていることを特徴とする
画像表示装置。
【発明の詳細な説明】
【０００１】
【発明の属する技術分野】
本発明は画像表示装置に関し、より詳細には、ナビゲーション装置などに採用される、
地球表面を写した衛星写真や航空写真などの写真データを用いた画像表示装置に関する。
【０００２】
【従来の技術】
図１２は、従来のナビゲーション装置の要部を概略的に示したブロック図である。車速
から演算して走行距離を取得するための車速センサ２と、進行方向を取得するためのジャ
イロセンサ３とがマイコン１に接続されており、マイコン１は、演算した走行距離、及び
進行方向に基づいて自車位置を割り出すようになっている（自律航法）。
ＧＰＳ受信機４は、アンテナ５を介して衛星からのＧＰＳ信号を受信するものであり、
マイコン１に接続されており、マイコン１は、ＧＰＳ信号に基づいて自車位置を割り出す
ようになっている（ＧＰＳ航法）。
【０００３】
また、電子地図データ等が記憶されたＤＶＤ−ＲＯＭ７（ＣＤ−ＲＯＭなどの記憶装置
も可能）から電子地図データ等を取り込むことのできるＤＶＤドライブ６がマイコン１に
接続されており、マイコン１は、割り出した自車位置と電子地図データとを合わせる（い
わゆる、マップマッチング処理を行う）ことによって、自車位置が正確に示された地図画
面を表示パネル９ｂへ表示するようになっている。なお、地図の更新が可能なＤＶＤ−Ｒ
ＡＭやＨＤＤ（磁気ハードディスク）へ電子地図データなどを記憶することも可能である
。
【０００４】
また、リモコン８に設けられたジョイスティック８ａやボタンスイッチ８ｂから出力さ
れたスイッチ信号や、表示装置９に設けられたボタンスイッチ９ａから出力されたスイッ
チ信号がマイコン１に入力され、これらスイッチ信号に応じた処理がマイコン１で行われ
るようになっている。例えば、マイコン１は、これらスイッチから移動目的地の情報を取
り込むと、自車位置から目的地までの最適経路を探索し、これを誘導経路として地図画面
と共に表示パネル９ｂ上に表示するようになっている。
【０００５】
このようにナビゲーション装置では、表示パネル９ｂに地図画面が表示され、その地図
上に使用者により入力された目的地、該目的地までの誘導経路、自車の現在位置に対応す
る自車位置マーク、及びそれまでの自車の走行軌跡等が重ねて表示されるようになってお
り、ユーザーはこの表示パネル９ｂを逐次参照することで、進路情報を得ることができ、
その進路情報に従うことで目的地に到達することができるといった優れた機能を有してい
る。
【０００６】
【発明が解決しようとする課題】
ところが、上記した従来のナビゲーション装置では、表示パネル９ｂ上に表示される地
図画面が地図データを用いて作成されているため、自車の現在位置を理解したり、現在位
置周辺の実際の状況を把握することが難しいといった場合があった。
というのは、地図画面では立体交差する道路など上下の位置関係を表すことが難しく、
また実際には地図画面上に表示されない道路や建物などが数多く存在するからである。
【０００７】
このような問題を解決するための手段の一つとして、航空写真データから作成される航
空写真画面上に自車の現在位置を表示するといった発明が開示されている（特開平５−１
１３３４３号（公報１））。航空写真画面を用いれば、目印となる建物などが非常に分か
り易くなるため、自車の現在位置を理解し易くし、また現在位置周辺の実際の状況につい
ても把握し易くすることができるといった利点がある。
しかしながら、公報１に開示された発明のように、単に航空写真画面を表示すようにし
ただけでは、ユーザーが十分満足するようなナビゲーション装置を実現することができな
かった。
【０００８】
本発明は上記課題に鑑みなされたものであって、自車の現在位置を極めて理解し易くし
、また現在位置周辺の実際の状況についても大変把握し易くすることができると共に、ユ
ーザーの満足度の高いナビゲーション装置などを実現するための画像表示装置を提供する
ことを目的としている。
【０００９】
【課題を解決するための手段及びその効果】
上記目的を達成するために本発明に係る画像表示装置（１）は、地球表面を写した写真
データが記憶された第１の写真データ記憶手段から読み出した写真データに基づいて、所
定の縮尺の写真画面を作成する第１の写真画面作成手段と、該第１の写真画面作成手段に
より作成される、前記所定の縮尺の写真画面を表示する第１の写真画面表示手段と、前記
写真データに基づいて、前記所定の縮尺と異なる別の縮尺の写真画面を作成する第２の写
真画面作成手段と、ユーザーによる縮尺の切り換えの指示があると、前記第２の写真画面
作成手段により作成される、前記別の縮尺の写真画面へ表示の切り換えを行う第１の表示
切換手段とを備えると共に、これら第１及び第２の写真画面作成手段が、拡大処理を施さ
ずにこれら写真画面を作成するものであることを特徴としている。
【００１０】
また、本発明に係る画像表示装置（２）は、同一エリアに対してスケールの異なる２タ
イプ以上の写真データが記憶された第２の写真データ記憶手段から読み出した、所定のス
ケールの写真データに基づいて、所定の縮尺の写真画面を作成する第３の写真画面作成手
段と、該第３の写真画面作成手段により作成される、前記所定の縮尺の写真画面を表示す
る第２の写真画面表示手段と、前記第２の写真データ記憶手段から読み出した、前記所定
のスケールと異なる別のスケールの写真データに基づいて、前記所定の縮尺と異なる別の
縮尺の写真画面を作成する第４の写真画面作成手段と、ユーザーによる縮尺の切り換えの
指示があると、前記第４の写真画面作成手段により作成される、前記別の縮尺の写真画面
へ表示の切り換えを行う第２の表示切換手段とを備えていることを特徴としている。
【００１１】
表示される画面の縮尺の切り換えを行うことができない画像表示装置では、例えば、縮
尺率が大きい（詳細な表示になる）とテーマパークなどの大きな施設は表示画面内に収ま
りきらず、全体の様子が分からない場合があり、他方、縮尺率が小さい（広域表示になる
）と施設の状態などを詳しく見ることができない場合があり、ユーザーにストレスを感じ
させてしまうといった問題がある。
【００１２】
上記した画像表示装置（１）又は（２）によれば、ユーザーによる縮尺の切り換えの指
示があると、所定の縮尺の写真画面（例えば、衛星写真や航空写真など）から前記所定の
縮尺と異なる別の縮尺の写真画面への表示の切り換えが行われるので、ユーザーに上記ス
トレスが生じるのを解消することができる。
【００１３】
また、上記した画像表示装置（１）によれば、拡大処理を施さずにこれら写真画面が作
成されるので、例えば、第１の写真データ記憶手段に画素１ドットあたり２ｍのスケール
の写真データが記憶されている場合には、画素１ドットあたり２ｍのスケールよりも拡大
された、画素１ドットあたり１ｍのスケールの写真画面は作成されない。すなわち、暈け
た写真画面が表示されることがないので、鮮明な写真画像だけをユーザーへ提供すること
ができる。
【００１４】
ところで、写真データは地図データと比べて非常にデータ量が多く、写真データは記憶
装置からの読み出しや、画像の処理にかなり時間がかかる場合があるため、地図データを
利用する場合のように、画面の拡大、縮小処理を短時間で行うことが難しいといった問題
がある。
【００１５】
上記した画像表示装置（２）によれば、同一エリアに対してスケールの異なる２タイプ
以上の写真データ（例えば、画素１ドットあたり１ｍのスケールの写真データ、画像１ド
ットあたり２ｍのスケールの写真データなど）に基づいて、異なる縮尺の写真画面が２以
上作成されるので、画面の拡大、縮小処理を行う必要がないので、スピーディな表示の切
り換えを実現することができる。
【００１６】
また、本発明に係る画像表示装置（３）は、地図データが記憶された地図データ記憶手
段から読み出した地図データに基づいて、地図画面を作成する第１の地図画面作成手段と
、該第１の地図画面作成手段により作成される地図画面を表示する第１の地図画面表示手
段と、地球表面を写した写真データがエリアを限定して記憶された第３の写真データ記憶
手段から、自己の現在位置情報に基づいて読み出した、前記自己の現在位置周辺に関する
写真データに基づいて、前記自己の現在位置周辺を示した写真画面を作成する第５の写真
画面作成手段と、前記自己の現在位置情報に基づいて、前記自己が前記エリア内に存在す
るか否かを判断する第１の自己位置判断手段と、該第１の自己位置判断手段により前記自
己が前記エリア内に存在すると判断されると、前記第５の写真画面作成手段により作成さ
れる、前記自己の現在位置周辺を示した写真画面を表示する第３の写真画面表示手段とを
備えていることを特徴としている。
【００１７】
また、本発明に係る画像表示装置（４）は、地図データが記憶された地図データ記憶手
段から読み出した地図データに基づいて、地図画面を作成する第１の地図画面作成手段と
、該第１の地図画面作成手段により作成される地図画面を表示する第１の地図画面表示手
段と、地球表面を写した写真データがエリアを限定して記憶された第３の写真データ記憶
手段から、自己の現在位置情報に基づいて読み出した、前記自己の現在位置周辺に関する
写真データに基づいて、前記自己の現在位置周辺を示した写真画面を作成する第５の写真
画面作成手段と、前記自己の現在位置情報に基づいて、前記自己が前記エリア内に存在す
るか否かを判断する第１の自己位置判断手段と、該第１の自己位置判断手段により前記自
己が前記エリア内に存在すると判断されているときに、ユーザーによる前記写真画面の表
示の指示があると、前記第５の写真画面作成手段により作成される、前記自己の現在位置
周辺を示した写真画面を表示する第４の写真画面表示手段とを備えていることを特徴とし
ている。
【００１８】
また、本発明に係る画像表示装置（５）は、地図データが記憶された地図データ記憶手
段から読み出した地図データに基づいて、地図画面を作成する第１の地図画面作成手段と
、該第１の地図画面作成手段により作成される地図画面を表示する第１の地図画面表示手
段と、地球表面を写した写真データがエリアを限定して記憶された第３の写真データ記憶
手段から、自己の現在位置情報に基づいて読み出した、前記自己の現在位置周辺に関する
写真データに基づいて、前記自己の現在位置周辺を示した写真画面を作成する第５の写真
画面作成手段と、前記自己の現在位置情報に基づいて、前記自己が前記エリア内に存在す
るか否かを判断する第１の自己位置判断手段と、該第１の自己位置判断手段により前記自
己が前記エリア内に存在すると判断されると、前記写真画面の表示を指示するための指示
スイッチを形成する第１のスイッチ形成手段と、ユーザーにより前記指示スイッチがＯＮ
されると、前記第５の写真画面作成手段により作成される、前記自己の現在位置周辺を示
した写真画面を表示する第５の写真画面表示手段とを備えていることを特徴としている。
【００１９】
写真データは地図データと比べて非常にデータ量が多く、例えば画素１ドットあたり１
ｍのスケールで全国すべてを網羅した写真データをＤＶＤ−ＲＯＭなどの記録媒体に記録
させることは極めて困難であるため、地図データについては全国すべてを網羅して記録さ
せる一方、写真データについては主要都市などに限定して記録させるといったことが考え
られる。
【００２０】
上記した画像表示装置（３）によれば、写真データが記録されたエリア（例えば、東京
、大阪などの主要都市）内に入ると、自己（例えば、自車など）の現在位置周辺を示した
写真画面が自動的に表示されるので、ユーザーは前記自己の現在位置周辺の様子を容易に
把握することができるようになる。
【００２１】
また、上記した画像表示装置（４）又は（５）によれば、前記自己が前記エリア内に存
在するときに、ユーザーによる前記写真画面の表示の指示があると、前記写真画面が表示
されるので、ユーザーは自分の望むときに前記写真画面を表示させることができる。
さらに、上記した画像表示装置（５）によれば、前記自己が前記エリア内に存在すると
きにだけ、前記写真画面の表示を指示するための指示スイッチが形成される。例えば、該
指示スイッチが画面に触れることによってＯＮとなるタッチボタンの場合には、画面上に
タッチボタンが現れるので、ユーザーは前記写真画面を見ることができるエリアに入って
いることを容易に認識することができる。
【００２２】
また、本発明に係る画像表示装置（６）は、地球表面を写した写真データが記憶された
第１の写真データ記憶手段から、誘導経路情報に基づいて読み出した、前記誘導経路上、
又は該誘導経路周辺に存在する所定のスポットに関する写真データに基づいて、前記所定
のスポットを示した写真画面を作成する第６の写真画面作成手段と、該第６の写真画面作
成手段により作成される、前記所定のスポットを示した写真画面を表示する第６の写真画
面表示手段とを備えていることを特徴としている。
【００２３】
そして、上記画像表示装置（６）において、例えば、前記写真画面の表示を指示するた
めの指示スイッチを、各スポットに対応づけて形成する第２のスイッチ形成手段を備え、
前記第６の写真画面表示手段が、ユーザーにより前記指示スイッチがＯＮされると、ＯＮ
された前記指示スイッチに対応するスポットを示した写真画面を表示するようにして利用
する。
【００２４】
ところで、従来のナビゲーション装置で表示される地図画面では表現に限界があり、そ
のためインターチェンジなどのように高低差のある場所や複雑な構造をした場所について
は十分な情報をユーザーに提供することができない場合があった。
【００２５】
上記した画像表示装置（６）によれば、誘導経路上、又は該誘導経路周辺に存在する所
定のスポット（例えば、インターチェンジ、サービスエリア、観光名所など）を示した写
真画面が表示される。従って、地図画面では表現が難しかった場所を写真画面で表示する
ことができるので、ユーザーは前記場所を容易に把握することができるようになる。また
、見どころの多い観光名所なども写真画面で表示することによって、ドライブなどをより
楽しいものとすることができる。
さらに、例えば、前記写真画面の表示を指示するための指示スイッチが、各スポットに
対応づけて形成されるようにすることで、ユーザーは容易に希望するスポットを選択でき
るようにすることができる。
【００２６】
また、本発明に係る画像表示装置（７）は、地球表面を写した写真データが記憶された
第１の写真データ記憶手段から読み出した写真データに基づいて、写真画面を作成する第
７の写真画面作成手段と、該第７の写真画面作成手段により作成される写真画面を表示す
る第７の写真画面表示手段と、所定のスポットに関する詳細データが記憶された詳細デー
タ記憶手段から読み出した、前記写真画面が写し出すエリア内に存在するスポットに関す
る詳細データに基づいて、前記スポットに関する詳細情報をユーザーへ提供する詳細情報
提供手段とを備えていることを特徴としている。
【００２７】
そして、上記画像表示装置（７）において、例えば、前記詳細情報の提供を指示するた
めの指示スイッチを、各スポットに対応づけて形成する第３のスイッチ形成手段を備え、
前記詳細情報提供手段が、ユーザーにより前記指示スイッチがＯＮされると、ＯＮされた
前記指示スイッチに対応するスポットに関する詳細情報をユーザーへ提供するようにして
利用する。
【００２８】
上記した画像表示装置（７）によれば、表示されている写真画面が写し出すエリア内に
存在するスポット（例えば、遊戯施設、レストランなど）に関する詳細情報（例えば、入
場料、営業日などに関する情報）がユーザーへ提供されるので、よりユーザーの満足度を
高めることのできる画像表示装置を実現することができる。
さらに、例えば、前記詳細情報の提供を指示するための指示スイッチが、各スポットに
対応づけて形成することにより、ユーザーは容易に希望するスポットを選択することがで
きるようになる。
【００２９】
また、本発明に係る画像表示装置（８）は、地球表面を写した写真データが記憶された
第１の写真データ記憶手段から、目的地の位置情報に基づいて読み出した、前記目的地周
辺に関する写真データに基づいて、前記目的地周辺を示した写真画面を作成する第８の写
真画面作成手段と、該第８の写真画面作成手段により作成された、前記目的地周辺を示し
た写真画面を表示する第８の写真画面表示手段とを備えていることを特徴としている。
【００３０】
また、本発明に係る画像表示装置（９）は、上記画像表示装置（８）において、前記第
８の写真画面表示手段が、ユーザーにより前記目的地が設定されると、前記目的地周辺を
示した写真画面を表示するものであることを特徴としている。
【００３１】
また、本発明に係る画像表示装置（１０）は、上記画像表示装置（８）において、自己
の現在位置情報、及び前記目的地の位置情報に基づいて、前記自己が前記目的地付近まで
到達したか否かを判断する第２の自己位置判断手段を備え、該第２の自己位置判断手段に
より前記自己が前記目的地付近まで到達したと判断されると、前記第８の写真画面表示手
段が、前記目的地周辺を示した写真画面を表示するものであることを特徴としている。
【００３２】
上記した画像表示装置（８）〜（１０）のいずれかによれば、目的地周辺を示した写真
画面が表示されるので、例えば、前記目的地が都心部であるのか否かといった情報や、道
路幅は広いのか狭いのかといった情報や、集落密度は高いのか低いのかといった情報や、
遊戯施設や駐車場の有無といった情報など、前記目的地に関する実に様々な情報をユーザ
ーが取得することができる。
【００３３】
また、上記した画像表示装置（９）によれば、前記目的地が設定されると、前記目的地
周辺を示した写真画面が表示されるので、ユーザーは予め前記目的地周辺の情況を把握し
ておくことができ、また、上記した画像表示装置（１０）によれば、自己が前記目的地付
近まで到達すると、前記目的地周辺を示した写真画面が表示されるので、ユーザーは前記
目的地へ到着する直前に、前記目的地周辺の情況を把握することができる。
【００３４】
また、本発明に係る画像表示装置（１１）は、地図データが記憶された地図データ記憶
手段から読み出した地図データに基づいて、地図画面を作成する第１の地図画面作成手段
と、該第１の地図画面作成手段により作成される地図画面を表示する第１の地図画面表示
手段と、地球表面を写した写真データが記憶された第１の写真データ記憶手段から読み出
した写真データに基づいて、写真画面を作成する第７の写真画面作成手段と、前記地図画
面から前記写真画面への表示の切り換え、及び／又は前記写真画面から前記地図画面への
表示の切り換えを、前記地図画面が示すエリアと前記写真画面が写し出すエリアとを一致
させて行う第３の表示切換手段とを備えていることを特徴としている。
【００３５】
そして、上記画像表示装置（１１）において、例えば、前記第３の表示切換手段は、フ
ェードイン、及び／又はフェードアウトの画面処理（各種表示効果の付与）を行って、表
示の切り換えを行うようにすることも可能である。
上記した画像表示装置（１１）によれば、地図画面から写真画面への表示の切り換え、
及び／又は前記写真画面から前記地図画面への表示の切り換えが、前記地図画面が示すエ
リアと前記写真画面が写し出すエリアとを一致させて行われるので、ユーザーに違和感を
抱かせることなくこれら表示の切り換えを行うことができる。
さらに、例えば、フェードイン、及び／又はフェードアウトなどの画像処理（例えば、
画面表示の透過率を１００〜０％で可変する）を行って、表示の切り換えを行うようにす
れば、視覚的に大変優れた表示の切り換えを行うことができる。
【００３６】
また、本発明に係る画像表示装置（１２）は、地球表面を写した写真データが記憶され
た第１の写真データ記憶手段から、前記自己の現在位置情報に基づいて読み出した、前記
自己の現在位置周辺に関する写真データに基づいて、前記自己の現在位置周辺を示した写
真画面を作成する第９の写真画面作成手段と、該第９の写真画面作成手段により作成され
る、前記自己の現在位置周辺を示した写真画面を表示する第９の写真画面表示手段と、前
記自己の現在位置情報に基づいて、前記写真画面上に前記自己の現在位置を示す第１の現
在位置表示手段と、地図データが記憶された地図データ記憶手段から読み出した地図デー
タに基づいて、地図画面を作成する第２の地図画面作成手段と、前記自己の現在位置情報
に基づいて、前記写真画面の表示エリアを小さくし、他方、前記地図画面の表示エリアを
大きくしていき、前記自己の移動に合わせて、前記写真画面から前記地図画面への表示の
切り換えを段階的に行う第４の表示切換手段とを備えていることを特徴としている。
【００３７】
そして、上記画像表示装置（１２）において、例えば、前記第４の表示切換手段が、前
記写真画面が写し出すエリアと前記地図画面が示すエリアとを一致させつつ、前記表示の
切り換えを行うようにすることが好適である。
ところで、写真データは地図データと比べて非常にデータ量が多く、写真データは記憶
装置からの読み出しや、画像の処理にかなり時間がかかる場合があるため、地図データを
利用する場合のように、例えば、自己の現在位置マークをディスプレイ上で固定させてお
いて、前記自己の移動に合わせて画面を更新させるといったことを行うことが難しいとい
った問題がある。
この問題を解決するには、前記写真画面をディスプレイ上で固定させておいて、前記自
己の現在位置マークを前記記写真画面上で移動させていけば良いが、前記写真画面は前記
自己の移動に合わせて更新されないので、最終的には前記自己の現在位置マークは前記写
真画面（すなわちディスプレイ）上から外れてしまうことになる。
【００３８】
上記した画像表示装置（１２）によれば、写真画面の表示エリアを小さくし、他方、地
図画面の表示エリアを大きくしていき、自己の移動に合わせて、前記写真画面から前記地
図画面への表示の切り換えが少しずつ行われるので、視覚的に大変優れた表示の切り換え
を行うことができる。また、前記自己の現在位置マークが前記写真画面（ディスプレイ）
上から外れる前に前記地図画面上に前記自己の現在位置マークがくるように、前記表示の
切り換えを行うことによって、上記問題を解決することもできる。
さらに、前記写真画面が写し出すエリアと前記地図画面が示すエリアとを一致させつつ
、前記表示の切り換えを行うようにすれば、ユーザーに違和感を抱かせることなく表示の
切り換えを行うことができる。
【００３９】
また、本発明に係る画像表示装置（１３）は、同一エリアに対して異なる２以上の状態
で写した写真データが記憶された第４の写真データ記憶手段から、所定の条件に基づいて
読み出した写真データに基づいて、写真画面を作成する第１０の写真画面作成手段と、該
第１０の写真画面作成手段により作成される写真画面を表示する第１０の写真画面表示手
段とを備えていることを特徴としている。
【００４０】
上記した画像表示装置（１３）によれば、同一エリアに対して異なる２以上の状態（例
えば、季節別、時間帯別など）で写した写真データが記憶された第４の写真データ記憶手
段から、所定の条件（例えば、冬に写した写真など）に基づいて読み出した写真データに
基づいて作成されるた写真画面が表示される。例えば、１２月の場合には冬に写された写
真データに基づいて作成された写真画面を表示することができるので、季節感のある画像
表示装置を実現することができる。
【００４１】
また、本発明に係る画像表示装置（１４）は、地図データが記憶された地図データ記憶
手段から読み出した地図データに基づいて、地図画面を作成する第１の地図画面作成手段
と、該第１の地図画面作成手段により作成される地図画面を表示する第１の地図画面表示
手段と、地球表面を写した写真データが記憶された第１の写真データ記憶手段から読み出
した写真データに基づいて、写真画面を作成する第７の写真画面作成手段と、前記第１の
地図画面作成手段により作成される地図画面、及び前記第７の写真画面作成手段により作
成される写真画面を同一表示画面上に表示するマルチ画面表示手段とを備えていることを
特徴としている。
【００４２】
上記した画像表示装置（１４）によれば、地図画面（比較的に主要道路の配置状態を把
握し易い画面）と写真画面（比較的に周辺状況を把握し易い画面）とが同一表示画面上に
表示されるので、例えば、ある市街地における道路の配置状態と周辺状況とを効率良く把
握することができる。
【００４３】
また、本発明に係る画像表示装置（１５）は、地球表面を写した写真データが記憶され
た第１の写真データ記憶手段から読み出した写真データに基づいて、写真画面を作成する
第７の写真画面作成手段と、該第７の写真画面作成手段により作成される、写真画面を表
示する第７写真画面表示手段とを備え、前記第７の写真画面作成手段が、所定の条件に基
づいて、所定の画像処理を施した写真画面を作成するものであることを特徴としている。
【００４４】
上記した画像表示装置（１５）によれば、所定の条件（例えば、時間帯など）に基づい
て、所定の画像処理（例えば、フィルタ処理など）を施して作成された写真画面が表示さ
れるので、例えば、日没後には夜間の写真画面を表示することができるので、ユーザーの
満足度の高い装置を実現することができる。
【００４５】
また、本発明に係る画像表示装置（１６）は、地球表面を写した写真データが記憶され
た第１の写真データ記憶手段から読み出した、所定のスポットに関する写真データに基づ
いて、前記所定のスポットを示した写真画面を作成する第１１の写真画面作成手段と、該
第１１の写真画面作成手段により作成される前記所定のスポットを示した写真画面を、前
記スポットの位置に対応付けて表示する第１１の写真画面表示手段とを備えていることを
特徴としている。
【００４６】
上記した画像表示装置（１６）によれば、前記所定のスポット（例えば、インターチェ
ンジ、サービスエリア、観光名所など）を示した写真画面が表示される。従って、地図画
面では表現が難しかった場所を写真画面で表示することができるので、ユーザーは前記場
所を容易に把握することができるようになる。また、見どころの多い観光名所なども写真
画面で表示することによって、ドライブなどをより楽しいものとすることができる。
【００４７】
また、本発明に係る画像表示装置（１７）は、上記画像表示装置（１６）において、前
記第１１の写真画面表示手段が、前記所定のスポットを示した写真画面を地図画面上の前
記スポットの位置に重ねて表示するものであることを特徴としている。
【００４８】
上記画像表示装置（１７）によれば、前記所定のスポットを示した写真画面が地図画面
上の前記スポットの位置に重ねて表示されるので、地図画面上に施設などだけを写真画面
で表示することができる。これにより、ユーザーは施設などを容易に把握することができ
るようになる。
【００４９】
また、本発明に係る画像表示装置（１８）は、地球表面を写した写真データが記憶され
た第１の写真データ記憶手段から、所定の位置情報に基づいて読み出した、前記所定の位
置周辺に関する写真データに基づいて、前記所定の位置周辺を示した写真画面を作成する
第１２の写真画面作成手段と、該第１２の写真画面作成手段により作成される、前記所定
の位置周辺を示した写真画面を表示する第１２の写真画面表示手段と、前記写真画面上に
前記所定の位置を示す位置表示手段とを備えていることを特徴としている。
【００５０】
上記した画像表示装置（１８）によれば、前記所定の位置周辺、例えば、自己（自車な
ど）の現在位置周辺を示した写真画面が表示されるので、ユーザーは前記自己の現在位置
周辺などの様子を容易に把握することができるようになる。さらに、前記写真画面上に前
記所定の位置（例えば、自車の現在位置）が示されるので、ユーザーは自己の現在位置な
どについても容易に把握することができるようになる。
【００５１】
【発明の実施の形態】
以下、本発明に係る画像表示装置が採用されたナビゲーション装置の実施の形態を図面
に基づいて説明する。図１は実施の形態（１）に係る画像表示装置が採用されたナビゲー
ション装置の要部を概略的に示したブロック図である。但し、図１２に示したナビゲーシ
ョン装置と同様の構成部分については同符号を付し、ここではその説明を省略する。
【００５２】
車速センサ２と、ジャイロセンサ３とがマイコン１１に接続されており、マイコン１１
は演算した走行距離、及び進行方向に基づいて自車位置を割り出すようになっている（自
律航法）。また、ＧＰＳ受信機４がマイコン１１に接続されており、マイコン１１はＧＰ
Ｓ信号に基づいて自車位置を割り出すようになっている（ＧＰＳ航法）。
【００５３】
また、全国すべてを網羅した電子地図データ、及び地球表面を写した衛星写真や航空写
真などの写真データが記録エリア（例えば、主要都市など）を限定して記録されたＤＶＤ
−ＲＯＭ１７（ＣＤ−ＲＯＭなどの記憶装置も可能）から電子地図データや写真データ等
を取り込むことのできるＤＶＤドライブ６がマイコン１１に接続されており、マイコン１
１は割り出した自車の現在位置に基づいて、ＤＶＤ−ＲＯＭ１７から必要な地図データや
写真データをマイコン１１内のバッファメモリ１８へ一時的に記憶させておくようになっ
ている。また、ＤＶＤ−ＲＯＭ１７には同一エリアの地球表面を写した写真データとして
、例えば、画素１ドットあたり１ｍのスケールと４ｍのスケールとが記録されている。
【００５４】
また、表示パネル９ｂの上下左右には複数の赤外線ＬＥＤと複数のフォトトランジスタ
とが対向して配置され、指が表示パネル９ｂに触れた位置を検出することができるように
構成され、検出された結果についてはマイコン１１で取得することができるようになって
いる。
【００５５】
次に、実施の形態（１）に係る画像表示装置が採用されたナビゲーション装置における
マイコン１１の行う処理動作［１］を図２、図３に示したフローチャートに基づいて説明
する。まず、ＧＰＳ信号などから自車の現在位置を算出し（ステップＳ１）、算出した自
車の現在位置情報、及びバッファメモリ１８に記憶されている地図データに基づいて、前
記自車の現在位置周辺を示した地図画面を作成する（ステップＳ２）。なお、作成した地
図画面に関するデータについてはバッファメモリ１８へ記憶され、表示タイミングに合わ
せて読み出される。
【００５６】
次に、前記自車の現在位置情報、及びバッファメモリ１８に記憶されている写真データ
に基づいて、前記自車が前記記録エリア（例えば、東京、大阪などの主要都市）内に存在
するか否かを判断し（ステップＳ３）、前記自車が前記記録エリア内に存在すると判断さ
れると、前記自車の現在位置情報、及びバッファメモリ１８に記憶されている２タイプの
スケールの写真データに基づいて、前記自車の現在位置周辺を示した写真画面を２タイプ
（例えば、広域表示の写真画面、詳細な表示の写真画面など）作成する（ステップＳ４）
。なお、作成した写真画面に関するデータについてはバッファメモリ１８へ記憶され、表
示タイミングに合わせて読み出される。
【００５７】
次に、表示パネル９ｂに表示される画面が地図画面から写真画面へ切り換わっているこ
とを示すフラグｆ1が１であるか否かを判断し（ステップＳ５）、フラグｆ1が１でない、すなわち写真画面へ切り換わっていないと判断すれば、次に、写真画面への表示の切り換えが可能であること（すなわち前記自車が前記記録エリア内に存在すること）を示すフラグｆ2が１であるか否かを判断し（ステップＳ６）、フラグｆ2が１でないと判断すれば、地図画面から写真画面へ表示の切り換えをユーザーが指示するための「写真画面」ボタンスイッチ（タッチスイッチ）を形成し（ステップＳ７）、その後、フラグｆ2を１にして（ステップＳ８）、ステップＳ９へ進む。図４（ａ）、（ｂ）は表示パネル９ｂに地図画面が表示された状態を示した図であり、図４（ｂ）には地図画面上に「写真画面」ボタンスイッチが表示されている。
一方、ステップＳ６において、フラグｆ2が１である、すなわち既に「写真画面」ボタンスイッチが形成されていると判断すれば、ステップＳ７、Ｓ８を飛ばして、そのままス
テップＳ９へ進む。
【００５８】
ステップＳ９では、ユーザーにより「写真画面」ボタンスイッチがタッチされたか否か
を判断し、「写真画面」ボタンスイッチがタッチされたと判断すれば、「写真画面」ボタ
ンスイッチを除去して（ステップＳ１０）、フラグｆ2を０にし（ステップＳ１１）、次
に、前記自車の現在位置周辺を示した写真画面（例えば、広域表示の写真画面）を表示す
ると共に、写真画面上に前記自車の現在位置を示す自車位置マークを表示する（ステップ
Ｓ１２）。なお、前記写真画面上に前記自車位置マークを表示する方法としては、例えば
、写真データの表す矩形領域の左上及び右下の緯度・経度を利用する方法が挙げられる。
【００５９】
ステップＳ１２における処理後、さらに前記写真画面から前記地図画面への表示の戻し
をユーザーが指示するための「戻る」ボタンスイッチと、前記写真画面の縮尺の切り換え
をユーザーが指示するための「縮尺切換」ボタンスイッチとを形成して（ステップＳ１３
、Ｓ１４）、フラグｆ1を１にする（ステップＳ１５）。図５に、表示パネル９ｂに写真
画面が表示された状態を示す。
他方、ステップＳ９において、「写真画面」ボタンスイッチがタッチされていないと判
断すれば、前記自車の現在位置情報に基づいて、地図画面の更新を行う（ステップＳ１６
）。
【００６０】
ところで、ステップＳ５において、フラグｆ1が１である、すなわち写真画面へ表示が
切り換わっていると判断すれば、「戻る」ボタンスイッチがタッチされたか否かを判断し
（ステップＳ１７）、「戻る」ボタンスイッチがタッチされたと判断すれば、画面上から
「戻る」ボタンスイッチと、「縮尺切換」ボタンスイッチとを除去して（ステップＳ１８
、Ｓ１９）、フラグｆ1を０にする（ステップＳ２０）。
その後、前記自車の現在位置周辺を示した地図画面を表示し（ステップＳ２１）、「写
真画面」ボタンスイッチを形成して（ステップＳ２２）、フラグｆ2を１にする（ステッ
プＳ２３）。
【００６１】
他方、ステップＳ１７において、「戻る」ボタンスイッチがタッチされていないと判断
すれば、「縮尺切換」ボタンスイッチがタッチされたか否かを判断し（ステップＳ２４）
、「縮尺切換」ボタンスイッチがタッチされたと判断すれば、写真画面の縮尺の切り換え
を行い（ステップＳ２５）、次に、前記自車の現在位置情報に基づいて、写真画面上に表
示されている自車位置マークを更新する（ステップＳ２６）。図６に、写真画面上に表示
されている自車位置マークが更新された状態を示す。
【００６２】
なお、写真画面の縮尺の切り換えは、例えば、広域表示の写真画面が表示されている場
合には、バッファメモリ１８から詳細な表示の写真画面に関するデータを読み出して、詳
細な表示の写真画面を表示し、他方、詳細な表示の写真画面が表示されている場合には、
バッファメモリ１８から広域表示の写真画面に関するデータを読み出して、広域表示の写
真画面を表示するようにして行う。
【００６３】
また、ステップＳ２４において、「縮尺切換」ボタンスイッチがタッチされていないと
判断すれば、写真画面の縮尺を切り換える必要がないので、ステップＳ２５を飛ばして、
そのままステップＳ２６へ進み、前記自車の現在位置情報に基づいて、写真画面上に表示
されている自車位置マークを更新する。
【００６４】
ところで、ステップＳ３において、前記自車が前記記録エリア内に存在しないと判断す
れば、地図画面から写真画面へ表示が切り換わっていることを示すフラグｆ1が１である
か否かを判断し（ステップＳ３１）、フラグｆ1が１でない、すなわち前記地図画面が表
示されていると判断すれば、次に、写真画面への表示の切り換えが可能であること（すな
わち前記自車が前記記録エリア内に存在すること）を示すフラグｆ2が１であるか否かを
判断する（ステップＳ３２）。
【００６５】
フラグｆ2が１である、すなわち「写真画面」ボタンスイッチが形成されていると判断
すれば、「写真画面」ボタンスイッチを除去して（ステップＳ３３）、フラグｆ2を０に
する（ステップＳ３４）。
他方、ステップＳ３２において、フラグｆ2が１でないと判断すれば、ステップＳ３３
、Ｓ３４における処理動作を行う必要がないので、そのまま処理動作［１］を終了する。
【００６６】
また、ステップＳ３１において、フラグｆ1が１である、すなわち写真画面が表示されていると判断すれば、ユーザーにより「戻る」ボタンスイッチがタッチされたか否かを判
断し（ステップＳ３５）、「戻る」ボタンスイッチがタッチされたと判断すれば、「戻る
」ボタンスイッチと「縮尺切換」ボタンスイッチとを除去して（ステップＳ３６、Ｓ３７
）、フラグｆ1を０にし（ステップＳ３８）、その後、前記自車の現在位置周辺を示した地図画面を表示する（ステップＳ３９）。
他方、ステップＳ３５において、「戻る」ボタンスイッチがタッチされていないと判断
すれば、地図画面へ表示を戻す必要がないので、そのまま処理動作［１］を終了する。
【００６７】
上記実施の形態（１）に係る画像表示装置が採用されたナビゲーション装置によれば、
自車が写真データが記録されたエリア（例えば、東京、大阪などの主要都市）内に入ると
、「写真画面」ボタンスイッチが表示されるので、ユーザーは写真画面の表示可能なエリ
アに進入していることを容易に認識することができる。
【００６８】
また、ユーザーにより「写真画面」ボタンスイッチがタッチされると、地図画面から前
記自車の現在位置周辺を示した写真画面へ表示の切り換えが行われるので、ユーザーは前
記写真画面を見ることによって、前記自車の現在位置を容易に理解することができるよう
になり、また現在位置周辺の実際の状況についても把握し易くなる。
【００６９】
また、上記実施の形態（１）に係る画像表示装置が採用されたナビゲーション装置では
、「写真画面」ボタンスイッチを表示することによって、ユーザーに写真画面の表示可能
なエリアに進入したことを伝えるようにし、この「写真画面」ボタンスイッチがタッチさ
れることによって表示の切り換えを行うようにしているが、別の実施の形態に係るナビゲ
ーション装置では、自車位置マークの形状や色などを変化させることによって、ユーザー
に写真画面の表示可能なエリアに進入したことを伝えるようにしたり、また形状や色など
が変化した自車位置マークがタッチされることによって表示の切り換えを行うようにして
も良い。
【００７０】
なお、ここでは地図画面から写真画面へ完全に切り換わる場合についてのみ説明してい
るが、前記写真画面を表示させるときに前記地図画面の表示スペースを小さくし、空いた
スペースに前記写真画面を表示するようにしたり、また前記写真画面を前記地図画面上に
重ねて表示したりしても良い。
【００７１】
また、上記実施の形態（１）に係る画像表示装置が採用されたナビゲーション装置では
、ユーザーからの切り換えの指示によって、写真画面を表示するようにしているが、別の
実施の形態に係るナビゲーション装置では、自車が前記記録エリア内に入ると自動的に前
記自車の現在位置周辺を示した写真画面を表示するようにしても良い。但し、この場合に
は地図画面から写真画面へ完全に切り換える方法でも良いが、地図画面の表示スペースを
小さくし、空いたスペースに写真画面を表示するのがより望ましい。
【００７２】
また、上記実施の形態（１）に係る画像表示装置が採用されたナビゲーション装置では
、写真データは非常にデータ量が多く、写真データは記憶装置からの読み出しや、画像の
処理に非常に時間がかかるといった問題に鑑みて、同一エリアに対してスケールの異なる
２タイプの写真データが記録されたＤＶＤ−ＲＯＭ１７を採用しているが、写真データに
対する画像処理等を高速で行うことができるようになれば、２タイプ以上の写真データが
記録された記録媒体ではなく、スケールの小さい（例えば、画素１ドットあたり１ｍのス
ケール、すなわち詳細な画像データ）写真データが１タイプ記録された記録媒体を採用す
るようにしても良い。
【００７３】
次に、実施の形態（２）に係る画像表示装置が採用されたナビゲーション装置について
説明する。但し、実施の形態（２）に係る画像表示装置が採用されたナビゲーション装置
については、マイコン１１を除いて、図１に示したナビゲーション装置の構成と同様であ
るため、マイコンには異なる符号を付し、その他の説明をここでは省略する。
【００７４】
実施の形態（２）に係る画像表示装置が採用されたナビゲーション装置におけるマイコ
ン１１Ａの行う処理動作［２］を図７に示したフローチャートに基づいて説明する。まず
、ステップＳ４１〜Ｓ４３において、後述するフラグｆ3〜ｆ5が１であるか否かを判断し、フラグｆ3〜ｆ5すべてが１でないと判断すれば、ステップＳ４４へ進んで、ユーザーにより目的地などが入力されて、ルートの設定が完了したか否かを判断する。
【００７５】
ルートの設定が完了していないと判断すれば、そのまま処理動作［２］を終了し、他方
、ルートの設定が完了したと判断すれば、次に、設定されたルートがＤＶＤ−ＲＯＭ１７
に記録されている写真データの記録エリア（例えば、主要都市）内を走行しているか否か
を判断し（ステップＳ４５）、前記記録エリア内を走行していると判断すれば、設定され
たルート上、又は該ルート周辺に所定のスポット（例えば、インターチェンジ、観光名所
など）が存在するか否かを判断する（ステップＳ４６）。
【００７６】
前記ルート上、又は該ルート周辺に前記所定のスポットが存在すると判断すれば、ＤＶ
Ｄ−ＲＯＭ１７から必要な写真データ（すなわち前記ルート上、又は該ルート周辺に存在
する前記所定のスポットに関する写真データ）を読み出し、読み出した写真データに基づ
いて、前記所定のスポットを示した写真画面を作成する（ステップＳ４７）。なお、作成
した前記所定のスポットを示した写真画面に関するデータについてはバッファメモリ１８
で保存される。
【００７７】
次に、前記ルートを画面上に表示し（ステップＳ４８）、前記所定のスポットを示した
写真画面の表示をユーザーが指示するためのボタンスイッチを、前記スポットの位置に対
応づけて形成し（ステップＳ４９）、そして、前記ボタンスイッチが形成されていること
を示すフラグｆ4を１にする（ステップＳ５０）。図８に、地図上に前記ボタンスイッチが表示された状態を示す。
なお、前記ボタンスイッチについては、図８に示したように、スポットの種別毎に表示
内容が決定されており、例えば、インターチェンジは「ＩＣ」、サービスエリアは「ＳＡ
」と決定されているので、ユーザーは容易に希望のスポットを選択することができる。
【００７８】
次に、リモコン８などが操作されることによって、ルート表示の終了指示が行われたか
否かを判断し（ステップＳ５１）、ユーザーによりルート表示の終了指示が行われていな
いと判断すれば、画面上に表示されている「ＩＣ」などのボタンスイッチがタッチされた
か否かを判断する（ステップＳ５２）。
【００７９】
ボタンスイッチがタッチされていないと判断すれば、そのまま処理動作［２］を終了し
、他方、ボタンスイッチがタッチされたと判断すれば、タッチされたボタンスイッチに対
応するスポットを示した写真画面を表示し（ステップＳ５３）、ルートが表示されている
画面への表示の戻しをユーザーが指示するための「戻る」ボタンスイッチを形成し（ステ
ップＳ５４）、フラグｆ4を０にし（ステップＳ５５）、そして、スポットを示した写真画面が表示されていることを示すフラグｆ5を１にする（ステップＳ５６）。
【００８０】
次に、ユーザーにより「戻る」ボタンスイッチがタッチされたか否かを判断し（ステッ
プＳ５７）、タッチされたと判断すれば、ステップＳ４８へ戻って、ルートを表示し、他
方、タッチされていないと判断すれば、そのまま処理動作［２］を終了する。
また、ステップＳ５１において、ユーザーによりルート表示の終了指示が行われたと判
断すれば、メニュー画面を表示して（ステップＳ５８）、フラグｆ4を０にする（ステップＳ５９）。
【００８１】
また、ステップＳ４５において、設定されたルートが前記記録エリア内を走行していな
いと判断したり、ステップＳ４６において、設定されたルート上、又は該ルート周辺に前
記所定のスポットは存在しないと判断すれば、ステップＳ６０へ進んで、前記ルートを表
示し、次に、従来と同じようなかたちでルート表示が行われていることを示すフラグｆ3を１にする（ステップＳ６１）。
【００８２】
次に、リモコン８などが操作されることによって、ルート表示を終了する指示が行われ
たか否かを判断し（ステップＳ６２）、ユーザーによりルート表示を終了する指示が行わ
れたと判断すれば、メニュー画面を表示して（ステップＳ６３）、フラグｆ3を０にする
（ステップＳ６４）。一方、終了する指示が行われていないと判断すれば、そのまま処理
動作［２］を終了する。
【００８３】
また、ステップＳ４１において、フラグｆ3が１である、すなわち従来と同じようなか
たちでルートが表示されていると判断すれば、ステップＳ６２へ進み、また、ステップＳ
４２において、フラグｆ4が１である、すなわちスポットを示した写真画面の表示を指示
するためのボタンスイッチが表示されていると判断すれば、ステップＳ５１へ進んで、ユ
ーザーによりルート表示の終了の指示が行われたか否かを判断する。
また、ステップＳ４３において、フラグｆ5が１である、すなわちスポットを示した写
真画面が表示されていると判断すれば、ステップＳ５７へ進んで、「戻る」ボタンスイッ
チがタッチされたか否かを判断する。
【００８４】
上記実施の形態（２）に係る画像表示装置が採用されたナビゲーション装置によれば、
設定されたルート路上、又は該ルート周辺に存在する所定のスポット（例えば、インター
チェンジ、サービスエリア、観光名所など）を示した写真画面が表示される。従って、地
図画面では表現が難しかった場所を写真画面で表示することができるので、ユーザーは前
記場所を容易に把握することができるようになる。また、見どころの多い観光名所なども
写真画面で表示することによって、ドライブなどをより楽しいものとすることができる。
また、前記写真画面の表示を指示するためのボタンスイッチが、各スポットに対応づけ
て形成されるので、ユーザーは容易に希望するスポットを選択することができる。
【００８５】
次に実施の形態（３）に係る画像表示装置が採用されたナビゲーション装置について説
明する。但し、実施の形態（３）に係る画像表示装置が採用されたナビゲーション装置に
ついては、マイコン１１、及びＤＶＤ−ＲＯＭ１７を除いて、図１に示したナビゲーショ
ン装置の構成と同様であるため、マイコン、及びＤＶＤ−ＲＯＭには異なる符号を付し、
その他の説明をここでは省略する。
【００８６】
ＤＶＤ−ＲＯＭ１７Ｂには全国すべてを網羅した電子地図データ、地球表面を写した衛
星写真や航空写真などの写真データ、及び所定のスポット（例えば、遊戯施設、レストラ
ンなど）に関する詳細データ（例えば、入場料、営業日などに関するデータ）が記録され
ている。なお、写真データについては記録エリア（例えば、主要都市など）が限定されて
いる。
【００８７】
次に、実施の形態（３）に係る画像表示装置が採用されたナビゲーション装置における
マイコン１１Ｂの行う処理動作［３］を図９に示したフローチャートに基づいて説明する
。まず、写真画面が表示されていることを示すフラグｆ6が１であるか否かを判断し（ステップＳ７１）、フラグｆ6が１でない、すなわち写真画面が表示されていないと判断すれば、写真画面の表示タイミング（例えば、ユーザーにより写真画面への表示切換の指示
があった場合など）であるか否かを判断する（ステップＳ７２）。
【００８８】
写真画面の表示タイミングでないと判断すれば、そのまま処理動作［３］を終了し、他
方、写真画面の表示タイミングであると判断すれば、表示される写真画面が写し出すエリ
ア内に、詳細データが記録された所定のスポット（例えば、遊戯施設、レストランなど）
が存在するか否かを判断する（ステップＳ７３）。
【００８９】
前記所定のスポットが存在すると判断すれば、前記所定のスポットに関する詳細情報の
提供を指示するためのボタンスイッチを、各スポットに対応づけて形成すると共に（ステ
ップＳ７４）、前記写真画面を表示し（ステップＳ７５）、前記写真画面からその一つ前
の画面への表示の戻しをユーザーが指示するための「戻る」ボタンスイッチを形成し（ス
テップＳ７６）、そしてフラグｆ6を１にする（ステップＳ７７）。
他方、ステップＳ７３において、前記所定のスポットが存在しないと判断すれば、ステ
ップＳ７４を飛ばして、ステップＳ７５へ進む。
【００９０】
ところで、ステップＳ７１において、フラグｆ6が１である、すなわち写真画面が表示
されていると判断すれば、スポットに関する詳細情報が表示されていることを示すフラグ
ｆ7が１であるか否かを判断し（ステップＳ７８）、フラグｆ7が１でない、すなわち前記詳細情報が表示されていないと判断すれば、各スポットに対応づけて形成されたボタンスイッチがタッチされたか否かを判断する（ステップＳ７９）。
【００９１】
前記ボタンスイッチがタッチされたと判断すれば、対応するスポットに関する詳細デー
タを読み出して、読み出した詳細データに基づいて前記スポットに関する詳細情報を表示
し（ステップＳ８０）、フラグｆ7を１にする（ステップＳ８１）。
他方、ステップＳ７９において、前記ボタンスイッチがタッチされていないと判断すれ
ば、「戻る」ボタンスイッチがタッチされたか否かを判断し（ステップＳ８２）、ユーザ
ーにより「戻る」ボタンスイッチがタッチされたと判断すれば、「戻る」ボタンスイッチ
を除去し（ステップＳ８３）、フラグｆ6を０にし（ステップＳ８４）、そして前記写真画面の一つ前の画面を表示する（ステップＳ８５）。他方、「戻る」ボタンスイッチがタ
ッチされていないと判断すれば、そのまま処理動作［３］を終了する。
【００９２】
また、ステップＳ７８において、フラグｆ7が１である、すなわち前記詳細情報が表示
されていると判断すれば、ユーザーにより「戻る」ボタンスイッチがタッチされたか否か
を判断し（ステップＳ８６）、「戻る」ボタンスイッチがタッチされたと判断すれば、フ
ラグｆ7を０にして（ステップＳ８７）、前記写真画面を表示する（ステップＳ８８）。
他方、「戻る」ボタンスイッチがタッチされていないと判断すれば、そのまま処理動作［
３］を終了する。
【００９３】
上記実施の形態（３）に係る画像表示装置が採用されたナビゲーション装置によれば、
表示されている写真画面が写し出すエリア内に存在するスポット（例えば、遊戯施設、レ
ストランなど）に関する詳細情報（例えば、入場料、営業日などに関する情報）がユーザ
ーへ提供されるので、よりユーザーの満足度を高めることのできるナビゲーション装置を
実現することができる。
また、前記詳細情報の提供を指示するためのボタンスイッチが、各スポットに対応づけ
て形成されるので、ユーザーは容易に希望するスポットを選択することができる。
【００９４】
次に、実施の形態（４）に係る画像表示装置が採用されたナビゲーション装置について
説明する。但し、実施の形態（４）に係る画像表示装置が採用されたナビゲーション装置
については、マイコン１１を除いて、図１に示したナビゲーション装置の構成と同様であ
るため、マイコンには異なる符号を付し、その他の説明をここでは省略する。
【００９５】
実施の形態（４）に係る画像表示装置が採用されたナビゲーション装置におけるマイコ
ン１１Ｃの行う処理動作［４］を図１０に示したフローチャートに基づいて説明する。ま
ず、ＧＰＳ信号などから自車の現在位置を算出し（ステップＳ９１）、次に、目的地周辺
に関する写真データをＤＶＤ−ＲＯＭ１７から読み出したことを示すフラグｆ8が１であるか否かを判断する（ステップＳ９２）。
【００９６】
フラグｆ8が１でない、すなわち前記写真データを読み出していないと判断すれば、算出した前記自車の現在位置情報に基づいて、前記自車が前記目的地へ１０分以内に到達す
るか否かを判断し（ステップＳ９３）、１０分以内に到達しないと判断すれば、そのまま
処理動作［４］を終了し、他方、１０分以内に到達すると判断すれば、前記目的地周辺に
関する写真データをＤＶＤ−ＲＯＭ１７から読み出して、バッファメモリ１８へ保存し（
ステップＳ９４）、フラグｆ8を１にし（ステップＳ９５）、そしてステップＳ９６へ進む。
また、ステップＳ９２において、フラグｆ8が１である、すなわち前記写真データについては読み出し済であると判断すれば、ステップＳ９３〜Ｓ９５を飛ばして、そのままス
テップＳ９６へ進む。
【００９７】
ステップＳ９６では、前記自車の現在位置情報に基づいて、前記自車が前記目的へ３分
以内に到達するか否かを判断し、３分以内に到達しないと判断すれば、そのまま処理動作
［４］を終了し、他方、３分以内に到達すると判断すれば、バッファメモリ１８に保存されている前記目的地周辺に関する写真データに基づいて、前記目的地周辺を示した写真画面を作成し（ステップＳ９７）、作成した写真画面を表示し（ステップＳ９８）、そしてフラグｆ8を０にする（ステップＳ９９）。
【００９８】
上記実施の形態（４）に係る画像表示装置が採用されたナビゲーション装置によれば、
目的地周辺を示した写真画面が表示されるので、例えば、前記目的地が都心部であるのか
否かといった情報や、道路幅は広いのか狭いのかといった情報や、集落密度は高いのか低
いのかといった情報や、遊戯施設や駐車場の有無といった情報など、前記目的地に関する
実に様々な情報をユーザーが取得することができる。
また、前記自車が前記目的地付近まで到達すると、前記目的地周辺を示した写真画面が
表示されるので、ユーザーは前記目的地へ到着する直前に、前記目的地周辺の情況を把握
することができる。
【００９９】
なお、上記実施の形態（４）に係る画像表示装置が採用されたナビゲーション装置では
、前記自車が前記目的地付近へ到達すると、前記目的地周辺を示した写真画面を表示する
ようにしているが、別の実施の形態に係る画像表示装置が採用されたナビゲーション装置
では、ユーザーにより前記目的地が設定されたときに前記写真画面を表示するようにした
り、またユーザーからの表示指示があったときに前記写真画面を表示するようにしても良
い。
【０１００】
また、上記実施の形態（１）〜（４）のいずれかに係る画像表示装置が採用されたナビ
ゲーション装置において表示パネル９ｂ上に表示される、地図画面、写真画面や詳細情報
を示した画面などについては、同一画面上に表示するようにしても良く、これにより、各
種様々な画面から得られる情報をユーザーが効率良く把握することができる。また、同一
画面上に各種様々な画面を表示する場合には、重要度やユーザーからの指示などによって
、表示スペースなどの差別化を図るようにしても良い。
【０１０１】
また、上記実施の形態（１）〜（４）のいずれかに係る画像表示装置が採用されたナビ
ゲーション装置において、地図画面から写真画面への表示の切り換え、及び／又は前記写
真画面から前記地図画面への表示の切り換えを、前記地図画面が示すエリアと前記写真画
面が写し出すエリアとを一致させて（両画面の縮尺、向き、位置を合わす）行うことによ
って、ユーザーに違和感を抱かせることなくこれら表示の切り換えを行うことができる。
【０１０２】
さらに、フェードイン、及び／又はフェードアウトの画像処理（例えば、画面表示の透
過率を１００〜０％で可変する）を行って、表示の切り換えを行うことによって、視覚的
に大変優れた表示の切り換えを行うことができる。なお、これら両画面の縮尺、向き、位
置を合わせる方法としては、例えば、地図データの表す矩形領域の左上及び右下の緯度・
経度と、写真データの表す矩形領域の左下及び右下の緯度・経度とを合わせるといった方
法が挙げられる。
【０１０３】
ところで、写真データは地図データと比べて非常にデータ量が多く、写真データは記憶
装置からの読み出しや、画像の処理にかなり時間がかかる場合があるため、地図データを
利用する場合のように、例えば、自己の現在位置マークをディスプレイ上で固定させてお
いて、前記自己の移動に合わせて画面を更新させるといったことを行うことが難しいとい
った問題がある。
【０１０４】
この問題を解決する方法の一つとして、図５、図６に示したように、前記写真画面を表
示パネル９ｂ上で固定させておいて、前記自己の現在位置マークを前記記写真画面上で移
動させていくといった方法が挙げられるが、前記写真画面は前記自己の移動に合わせて更
新されないので、最終的には前記自己の現在位置マークは前記写真画面（すなわち表示パ
ネル９ｂ）上から外れてしまうことになる。
【０１０５】
このような事態が生じるのを回避する方法としては、図１１（ａ）〜（ｈ）に示したよ
うに、前記写真画面から前記地図画面へ表示を切り換える場合に、該地図画面が示すエリ
アと前記写真画面が写し出すエリアとを一致させつつ、前記自車の移動に合わせて、前記
写真画面の表示エリアを小さくし、他方、前記地図画面の表示エリアを大きくしていき、
前記自車の現在位置マークが前記写真画面（表示パネル９ｂ）から外れる前に前記地図画
面上に前記現在位置マークがくるように、前記表示の切り換えを少しずつ行っていくとい
った方法が挙げられ、これにより、上記事態が生じるのを回避することができると同時に
、視覚的に大変優れた表示の切り換えを行うことができる。
【０１０６】
また、上記実施の形態（１）〜（４）のいずれかに係る画像表示装置が採用されたナビ
ゲーション装置において、同一エリアに対して異なる２以上の状態（例えば、季節別、時
間帯別など）で写した写真データが記録された記録媒体から、所定の条件（例えば、冬に
写した写真データなど）に基づいて読み出し、読み出した写真データに基づいて作成した
写真画面を表示することによって、例えば、１２月の場合には冬に写された写真データに
基づいて作成された写真画面（雪の積もった市街地の情況など）を表示することができる
ので、より付加価値の高いナビゲーション装置を実現することができる。
【０１０７】
また、上記実施の形態（１）〜（４）のいずれかに係る画像表示装置が採用されたナビ
ゲーション装置において、所定の条件（例えば、時間帯など）に基づいて、所定の画像処
理（例えば、フィルタ処理など）を施した写真画面を表示することによって、例えば、日
没後には夜間の写真画面を表示することができるので、ユーザーの満足度の高い装置を実
現することができる。
【図面の簡単な説明】
【図１】
本発明の実施の形態（１）に係る画像表示装置が採用されたナビゲーション装置の要部
を概略的に示したブロック図である。
【図２】
実施の形態（１）に係る画像表示装置が採用されたナビゲーション装置におけるマイコ
ンの行う処理動作を示したフローチャートである。
【図３】
実施の形態（１）に係る画像表示装置が採用されたナビゲーション装置におけるマイコ
ンの行う処理動作を示したフローチャートである。
【図４】
（ａ）、（ｂ）は表示パネルに地図画面が表示された状態を示した図である。
【図５】
表示パネルに写真画面が表示された状態を示した図である。
【図６】
写真画面上に表示されている自車位置マークが更新された状態を示した図である。
【図７】
実施の形態（２）に係る画像表示装置が採用されたナビゲーション装置におけるマイコ
ンの行う処理動作を示したフローチャートである。
【図８】
地図上にスポットを選択するためのボタンスイッチが表示された状態を示した図である
。
【図９】
実施の形態（３）に係る画像表示装置が採用されたナビゲーション装置におけるマイコ
ンの行う処理動作を示したフローチャートである。
【図１０】
実施の形態（４）に係る画像表示装置が採用されたナビゲーション装置におけるマイコ
ンの行う処理動作を示したフローチャートである。
【図１１】
（ａ）〜（ｈ）は写真画面から地図画面への表示が切り換わる状態を示した図である。
【図１２】
従来のナビゲーション装置の要部を概略的に示したブロック図である。
【符号の説明】
マイコン  １１、１１Ａ〜１１Ｃ
ＤＶＤ−ＲＯＭ  １７、１７Ｂ
バッファメモリ  １８